(57)【特許請求の範囲】
【請求項１】
既設の本管30にパッキン体１を介して取付けられる継手本体２を有する不断水分岐継手に於て、上記パッキン体１は一対の第１パッキン半体３と第２パッキン半体４とを備え、該第１パッキン半体３と該第２パッキン半体４はその端面３ｄ，４ｄを相互に向かい合うよう配設することで、本管30を密接に包囲するよう構成されると共に、上記継手本体２が一対の第１継手半体５と第２継手半体６とを備え、分岐側の該第１継手半体５に上記第１パッキン半体３を取付け、該第２継手半体６に上記第２パッキン半体４を取付け、さらに、該第１パッキン半体３と該第２パッキン半体４の肉厚をその端面３ｄ，４ｄに接近するに従って増加させて、その端面３ｄ，４ｄ近傍の外面３ａ，４ａに勾配面３ｃ，４ｃを形成すると共に、その勾配面３ｃ，４ｃに対応して、上記継手本体２の内面２ｂに押圧勾配面５ｃ，６ｃを形成したことを特徴とする不断水分岐継手。
【請求項２】
既設の本管30にパッキン体１を介して取付けられる継手本体２を有する不断水分岐継手に於て、上記パッキン体１は一対の第１パッキン半体３と第２パッキン半体４とを備え、該第１パッキン半体３と該第２パッキン半体４はその端面３ｄ，４ｄを相互に向かい合うよう配設することで、本管30を密接に包囲するよう構成されると共に、上記第１パッキン半体３には分岐配管用孔部７が形成され、該孔部７の形成端面８が、該第１パッキン半体３の外面３ａに対して略直角を向くように形成され、水圧を受けて本管30の外面30ｂと継手本体２の内面２ｂとの間隙部９へ押し込まれるように構成されると共に、上記継手本体２が一対の第１継手半体５と第２継手半体６とを備え、分岐側の該第１継手半体５に上記第１パッキン半体３を取付け、該第２継手半体６に上記第２パッキン半体４を取付け、さらに、該第１パッキン半体３と該第２パッキン半体４の肉厚をその端面３ｄ，４ｄに接近するに従って増加させて、その端面３ｄ，４ｄ近傍の外面３ａ，４ａに勾配面３ｃ，４ｃを形成すると共に、その勾配面３ｃ，４ｃに対応して、上記継手本体２の内面２ｂに押圧勾配面５ｃ，６ｃを形成したことを特徴とする不断水分岐継手。
【請求項３】
勾配面３ｃ，４ｃが、第１継手半体５と第２継手半体６の境界面Ｘに対して45°〜80°の角度θをもつよう形成された請求項１又は２記載の不断水分岐継手。
【請求項４】
上記分岐配管用孔部７周りの第１パッキン半体３の内面３ｂに、閉環状突条部10を設けた請求項２又は３記載の不断水分岐継手。
【発明の詳細な説明】
【０００１】
【発明の属する技術分野】
本発明は、既設の本管に使用する不断水分岐継手に関する。
【０００２】
【従来の技術】
従来、一定時間、地域一帯を断水して、既設の本管に、パッキンを介して、本管より分岐させる分岐継手が広く用いられていた。
【０００３】
【発明が解決しようとする課題】
しかしながら、一定時間、地域一帯を断水して、作業しなければならず、地域一帯に迷惑をかける等の断水工事に伴う弊害が多く、また、工費や工期が増大するという問題があった。
【０００４】
そこで、本発明は、構造が簡単であると共に、容易かつ迅速に取付作業が行え、断水することなく分岐でき、しかも、高い水密性を達成できる不断水分岐継手を提供することを目的とする。
【０００５】
【課題を解決するための手段】
上述の目的を達成するために、本発明に係る不断水分岐継手は、既設の本管にパッキン体を介して取付けられる継手本体を有する不断水分岐継手に於て、上記パッキン体は一対の第１パッキン半体と第２パッキン半体とを備え、該第１パッキン半体と該第２パッキン半体はその端面を相互に向かい合うよう配設することで、本管を密接に包囲するよう構成されると共に、上記継手本体が一対の第１継手半体と第２継手半体とを備え、分岐側の該第１継手半体に上記第１パッキン半体を取付け、該第２継手半体に上記第２パッキン半体を取付け、さらに、該第１パッキン半体と該第２パッキン半体の肉厚をその端面に接近するに従って増加させて、その端面近傍の外面に勾配面を形成すると共に、その勾配面に対応して、上記継手本体の内面に押圧勾配面を形成したものである。
【０００６】
また、既設の本管にパッキン体を介して取付けられる継手本体を有する不断水分岐継手に於て、上記パッキン体は一対の第１パッキン半体と第２パッキン半体とを備え、該第１パッキン半体と該第２パッキン半体はその端面を相互に向かい合うよう配設することで、本管を密接に包囲するよう構成されると共に、上記第１パッキン半体には分岐配管用孔部が形成され、該孔部の形成端面が、該第１パッキン半体の外面に対して略直角を向くように形成され、水圧を受けて本管の外面と継手本体の内面との間隙部へ押し込まれるように構成されると共に、上記継手本体が一対の第１継手半体と第２継手半体とを備え、分岐側の該第１継手半体に上記第１パッキン半体を取付け、該第２継手半体に上記第２パッキン半体を取付け、さらに、該第１パッキン半体と該第２パッキン半体の肉厚をその端面に接近するに従って増加させて、その端面近傍の外面に勾配面を形成すると共に、その勾配面に対応して、上記継手本体の内面に押圧勾配面を形成したものである。
【０００７】
また、勾配面が、第１継手半体と第２継手半体の境界面に対して45°〜80°の角度をもつよう形成されてもよく、上記分岐配管用孔部周りの第１パッキン半体の内面に、閉環状突条部を設けるも好ましい。
【０００８】
【発明の実施の形態】
以下、実施の形態を示す図面に基づき、本発明を詳説する。
【０００９】
図１は、本発明の不断水分岐継手の使用説明図を示し、図１（イ）に示す如く、（ポリエチレン製等の）既設の本管30に（ゴム製等の）パッキン体１を介して（金属製等の）継手本体２を取付け、これにより不断水分岐継手を構成する。そして、継手本体２に仕切弁31を取付け、仕切弁31に穿孔機32を取付ける。この際、仕切弁31の弁体33を開けておく。その後、図１（ロ）に示す如く、穿孔機32のカッター34で本管30を穿孔する。この際、本管30の被穿孔部30ａは、カッター34のきり部35に貫通状に刺着され、被穿孔部30ａが、本管30内に流れ込むことはない。その後、図１（ハ）に示す如く、穿孔機32のカッター34を元に戻し、弁体33を閉じ、本管30からの流水を防ぐ。そして、図１（ニ）に示す如く、穿孔機32を取外し、分岐管36を取付けて、弁体33を開けて、通水する。このように、断水することなく、分岐配管ができる。
従って、従来のように断水し、本管を切断し、Ｔ字管を接合する手間が無く、完工後の洗浄排水など断水工事に伴う弊害が無く、工費や工期の節減・短縮ができる。
【００１０】
図２は、パッキン体１の斜視図を示し、パッキン体１は、一対の第１パッキン半体３と第２パッキン半体４を備えている。そして、第１パッキン半体３と第２パッキン半体４は、第１パッキン半体３の両端面３ｄ，３ｄと第２パッキン半体４の両端面４ｄ，４ｄとを相互に向かい合うよう配設することで、第１パッキン半体３の内面３ｂと第２パッキン半体４の内面４ｂとで本管30を密接に包囲するよう構成されている。
【００１１】
そして、第１パッキン半体３には、予め分岐配管用孔部７が形成され、（図１（ロ）参照の）穿孔機32のカッター34でパッキン体１を穿孔する手間が省ける。この孔部７の形成端面８は、第１パッキン半体３の外面３ａに対して略直角を向くよう形成されている。
【００１２】
また、第１パッキン半体３の内面３ｂには、孔部７周りを包囲するよう閉環状突条部10が設けられ（図２では２本の突条部10，10が設けられている）、孔部７周りの第１パッキン半体３と本管30の密着度を高めている。従って、（図１（ニ）参照の）分岐管36と本管30の密封を確実なものとする。
【００１３】
さらに、第１パッキン半体３の肉厚は、その両端面３ｄ，３ｄに接近するに従って増加するように形成され、第１パッキン半体３の両端面３ｄ，３ｄ近傍の外面３ａは勾配面３ｃ，３ｃを形成している。また、第２パッキン半体４の肉厚は、その両端面４ｄ，４ｄに接近するに従って増加するように形成され、第２パッキン半体４の両端面４ｄ，４ｄ近傍の外面４ａは勾配面４ｃ，４ｃを形成している。
【００１４】
次に、図３に正面断面図を、図４に側面断面図を示し、継手本体２は、一対の第１継手半体５と第２継手半体６とを備えている。そして、第１継手半体５が（図１（ニ）参照の）分岐管36に接続される分岐側となり、第１継手半体５に、第１パッキン半体３を、第１継手半体５の溝部５ｄ，５ｄに嵌込むよう取付ける。また、第２継手半体６に、第２パッキン半体４を、第２継手半体６の溝部６ｄ，６ｄに嵌込むよう取付ける。その後、本管30を密接に包囲するように、第１継手半体５と第２継手半体６をボルト11とナット12にて締付固定する。なお、第１継手半体５と第２継手半体６の本管30側の両端部には、夫々、抜止体13，13が設けられ、継手本体２の本管30に対する固定を確実なものとしている。
【００１５】
そして、第１継手半体５の内面５ｂには、第１パッキン半体３の勾配面３ｃ，３ｃに対応して、押圧勾配面５ｃ，５ｃが形成され、第２継手半体６の内面６ｂには、第２パッキン半体４の勾配面４ｃ，４ｃに対応して、押圧勾配面６ｃ，６ｃが形成され、押圧勾配面５ｃ，６ｃが密着状に勾配面３ｃ，４ｃを押圧する。
【００１６】
さらに、勾配面３ｃ，４ｃと押圧勾配面５ｃ，６ｃは、第１継手半体５と第２継手半体６の境界面Ｘに対して45°〜80°となるような角度θをもって形成されている。
【００１７】
仮に、角度θが80°を越えると、（図５（イ）参照の）ボルト11とナット12による第１継手半体５と第２継手半体６の締付力Ｇを、押圧勾配面５ｃ，６ｃの勾配面３ｃ，４ｃに対する押圧力Ｆに変換できず、パッキン体１と本管30の（締付近傍の）間と、パッキン体１と継手本体２の（締付近傍の）間と、の密着度が不十分となり、十分な水密性が達成できなくなる。
【００１８】
また、角度θが45°未満では、締付力Ｇを押圧力Ｆに変換できるが、その押圧力Ｆは、第１パッキン半体３と第２パッキン半体４を相互に押圧するだけであり、パッキン体１と本管30の（締付近傍の）間の密着度が不十分となり、十分な水密性が達成できなくなる。しかも、パッキン体１の肉厚が増加し、重量の重い、高価なものとなり、かつ、外径寸法も過大となる。
【００１９】
従って、角度θが45°〜80°では、締付力Ｇを押圧力Ｆに変換でき、その押圧力Ｆが、パッキン体１を本管30に押圧し、パッキン体１と本管30の（締付近傍の）間と、パッキン体１と継手本体２の（締付近傍の）間と、の密着度が十分なものとなり、高い水密性を得ることができる。
【００２０】
そして、図５（イ）に第１継手半体５と第２継手半体６の締付状態の作用説明図を示し、ボルト11とナット12による第１継手半体５と第２継手半体６の締付力Ｇは、押圧勾配面５ｃ，６ｃの勾配面３ｃ，４ｃに対する押圧力Ｆに変換され、押圧力Ｆは、パッキン体１を本管30に押圧する。このとき、ボルト11とナット12を十分に締め付けると、（図３参照の）閉環状突条部10，10は、弾性変形により、その突条の形状を変形させ、パッキン体１と本管30の密着度を、さらに高めるものとなる。また、パッキン体１が本管30を密着に包囲しているため、───特に、反力を受持する第２パッキン半体４によって、───（図１（ロ）参照の）穿孔時における本管30の変形を防止できる。
【００２１】
次に、図５（ロ）に穿孔後の水圧による作用説明図を示し、穿孔後、形成端面８は水圧による押圧力Ｐを受けるが、形成端面８は第１パッキン半体３の外面３ａに対して略直角を向くよう形成されているため、形成端面８のこの受圧によって、本管30の外面30ｂと継手本体２の内面２ｂとの間隙部９へ、第１パッキン半体３が押し込まれるようになる。そして、第１パッキン半体３の弾性変形により、本管30の外面30ｂと継手本体２の内面２ｂに対する押圧力Ｒが生じ、パッキン体１と本管30の間と、パッキン体１と継手本体２の間と、の密着度をさらに高めるものとなる。このように、水圧が高い程、密着度も高くなるという効果が生まれ、有効に漏水を防止できる。
【００２２】
なお、本発明は上述の実施の形態に限定されず、例えば、パッキン体１と継手本体２を２つ割りではなく、３つ割りにしてもよく、また、分岐側の第１パッキン半体３と第１継手半体５にのみ、勾配面３ｃと押圧勾配面５ｃを設けてもよく、本発明の要旨を逸脱しない範囲で設計変更自由である。
【００２３】
【発明の効果】
本発明は上述の如く構成されているので、次に記載する効果を奏する。
【００２４】
（請求項１記載の不断水分岐継手によれば）パッキン体１と継手本体２で構成されているため、構造が簡単で、取付けも容易となる。また、第１パッキン半体３と第２パッキン半体４は、本管30を密接に包囲するよう構成されているため、穿孔時における本管30の変形を防止でき、さらに、ウォーターハンマー等の振動を吸収し、破損を防ぎ、寿命の長いものとなる。そして、勾配面３ｃ，４ｃと押圧勾配面５ｃ，６ｃを形成しているため、さらに密着度が高まり、一層有効に漏水を防止できる。
【００２５】
（請求項２記載の不断水分岐継手によれば）パッキン体１と継手本体２で構成されているため、構造が簡単で、取付けも容易となる。また、第１パッキン半体３と第２パッキン半体４は、本管30を密接に包囲するよう構成されているため、穿孔時における本管30の変形を防止でき、さらに、ウォーターハンマー等の振動を吸収し、破損を防ぎ、寿命の長いものとなる。そして、形成端面８は第１パッキン半体３の外面３ａに対して略直角を向くよう形成され、水圧を受けて本管30の外面30ｂと継手本体２の内面２ｂとの間隙部９へ弾性的に圧縮しつつ押し込まれるように構成され、かつ、勾配面３ｃ，４ｃと押圧勾配面５ｃ，６ｃを形成しているため、さらに有効に漏水を防止できる。
【００２６】
（請求項３記載の不断水分岐継手によれば）角度θが80°を越えると、十分な密着度が得られず、漏水の可能性があり、また、角度θが45°未満では、肉厚がさらに増加し、重量の重く、かつ、外径寸法も過大となる高価なパッキン体１となり、水圧上昇時での漏水防止も期待できない。しかし、角度θが45°〜80°では、密着度が高まり、常に優れた水密性を発揮できる。
【００２７】
（請求項４記載の不断水分岐継手によれば）閉環状突条部10を設けたため、密着度がさらに高まり、一層有効に漏水を防止できる。
【図面の簡単な説明】
【図１】  本発明の不断水分岐継手の実施の一形態を示す使用説明図である。
【図２】  パッキン体の斜視図である。
【図３】  不断水分岐継手の正面断面図である。
【図４】  不断水分岐継手の側面断面図である。
【図５】  要部作用説明図である。
【符号の説明】
１  パッキン体
２  継手本体
２ｂ  内面
３  第１パッキン半体
３ａ  外面
３ｂ  内面
３ｃ  勾配面
３ｄ  端面
４  第２パッキン半体
４ａ  外面
４ｃ  勾配面
４ｄ  端面
５  第１継手半体
５ｃ  押圧勾配面
６  第２継手半体
６ｃ  押圧勾配面
７  孔部
８  形成端面
９  間隙部
10  閉環状突条部
30  本管
30ｂ  外面
Ｘ  境界面
θ  角度
【図１】
0003641161.tif 000002
【図２】
0003641161.tif 000003
【図３】
0003641161.tif 000004
【図４】
0003641161.tif 000005
【図５】
0003641161.tif 000006